(57)【要約】【課題】簡易に動画の撮影開始又は終了、フェーダー機能を行うことができる動画撮影装置、動画撮影制御方法、及び、動画撮影制御プログラムを提供する。【解決手段】携帯電話装置１は、制御部２１、表示部１２、スピーカ１３、マイク１４、カメラ１５、記憶部２２、電源部２３、通信部２４と、ヒンジ１７の内部にあるスイッチにより、開いた状態又は閉じた状態を検出して、所定の信号を制御部２１へ出力する開閉検出部２５、  第１のケース１８に対し第２のケース１９が開かれたことが開始されたことや、完全に開いた状態、または逆に、第１のケース１８に対し第２のケース１９が重ねられた（閉じられた）ことが開始されたことや、完全に重ねられた（閉じられた）状態の加速度を検出し、制御部２１へ出力する加速度センサ３２を備える。【選択図】図２
2005323336.tif 000002
【特許請求の範囲】
【請求項１】
接続部を介して互いに回動可能に接続された第１のケース及び第２のケースと、
撮像手段と、
前記撮像手段を連続的に駆動させることにより動画ファイルを取得する動画取得手段と、
前記接続部を介した前記第１のケースと前記第２のケースとの相対的な位置関係の変化を検出する第１の検出手段と、
前記第１の検出手段による検出に基づいて、前記動画取得手段による動画ファイルの取得の開始若しくは終了を制御する取得制御手段と、
を備えたことを特徴とする動画撮影装置。
【請求項２】
接続部を介して互いに回動可能に接続された第１のケース、第２のケース及び第３のケースと、
撮像手段と、
前記撮像手段を連続的に駆動させることにより動画ファイルを取得する動画取得手段と、
前記接続部を介した前記第１のケースと前記第２のケースとの相対的な位置関係の変化を検出する第１の検出手段と、
前記第１の検出手段による検出に基づいて、前記動画取得手段による動画ファイルの取得の開始若しくは終了を制御する取得制御手段と、
を備えたことを特徴とする動画撮影装置。
【請求項３】
前記第３のケースはカメラユニットであり、当該カメラユニットには前記撮像手段が設けられていることを特徴とする請求項２に記載の動画撮影装置。
【請求項４】
前記第１のケースと前記第２のケースとの相対的な位置関係の変化の開始から終了までの時間を計測する計測手段と、
前記計測手段によって計測された時間に基づいて、前記動画取得手段によって取得された動画ファイルに加工処理を施す加工処理手段と、
を更に備えたことを特徴とする請求項１〜３のいずれか一項に記載の動画撮影装置。
【請求項５】
前記加工処理手段は、前記取得制御手段によって取得された動画ファイルの先頭フレームから所定フレームに対して加工処理を施すことを特徴とする請求項４に記載の動画撮影装置。
【請求項６】
前記加工処理手段は、前記取得制御手段によって取得された動画ファイルの所定フレームから先頭フレームに対して加工処理を施すことを特徴とする請求項４に記載の動画撮影装置。
【請求項７】
前記第１のケースと前記第２のケースとの相対的な位置関係の変化の開始から終了までの単位時間あたりの位置関係の度合いを検出する第２の検出手段を更に備え、
前記加工処理手段は、前記第２の検出手段によって検出された度合いに基づいて、前記動画取得手段によって取得された動画ファイルに加工処理を施すことを特徴とする請求項４〜６のいずれか一項に記載の動画撮影装置。
【請求項８】
前記動画取得手段による動画取得の終了を指示する指示手段と、
前記指示手段による動画取得を終了、又は前記第１の検出手段による検出によって動画取得を終了に応じて前記加工処理手段を制御する制御手段と、
を更に備えることを特徴とする請求項４〜７のいずれか一項に記載の動画撮影装置。
【請求項９】
第１の表示手段と、
第２の表示手段と、
前記撮像手段を連続的に駆動させることによるイメージデータを元に前記第２の表示手段に表示させる第１の表示制御手段と、
前記第１の検出手段によって、前記第１のケースと第２のケースとの相対的な位置関係の変化を検出することにより、前記撮像手段を連続的に駆動させることによるイメージデータを元に前記第１の表示手段に表示させるよう制御する第２の表示制御手段と、
を更に備えたことを特徴とする請求項１〜８のいずれか一項に記載の動画撮影装置。
【請求項１０】
前記動画取得手段によって取得された動画ファイルを保持する第１の記憶手段と、
前記加工処理手段によって加工処理された動画ファイルを保持する第２の記憶手段と、
を更に備えることを特徴とする請求項１〜９のいずれか一項に記載の動画撮影装置。
【請求項１１】
接続部を介して回動可能に接続された第１のケース及び第２のケースを有する動画撮影装置の動画撮影制御方法であって、
撮像部を連続的に駆動させることにより動画ファイルを取得する動画取得ステップと、
前記接続部を介した前記第１のケースと第２のケースとの位置関係の変化を検出する第１の検出ステップと、
前記第１の検出ステップによる検出結果に基づいて、前記動画取得ステップによる動画ファイル取得の開始若しくは終了を制御する取得制御ステップと、
を含むことを特徴とする動画撮影制御方法。
【請求項１２】
前記第１のケースと前記第２のケースとの位置関係の変化がの開始から終了までの時間を計測する計測ステップと、
前記計測ステップにて計測された時間に基づいて、前記動画取得ステップにて取得された動画ファイルに加工処理を施す加工処理ステップと、
を更に含むことを特徴とする請求項１１に記載の動画撮影制御方法。
【請求項１３】
前記加工処理ステップは、前記取得制御ステップにて取得された動画ファイルの先頭フレームから所定フレームに対して加工処理を施すことを特徴とする請求項１２に記載の動画撮影制御方法。
【請求項１４】
前記加工処理ステップは、前記取得制御ステップにて取得された動画ファイルの所定フレームから最終フレームに倒して加工処理を施すことを特徴とする請求項１２に記載の動画撮影制御方法。
【請求項１５】
前記第１のケースと前記第２のケースとの位置関係の変化の開始から終了までの単位時間あたりの位置変化の度合いを検出する第２の検出ステップを更に含み、
前記加工処理ステップは、前記第２の検出ステップによって検出された度合いに基づいて、前記動画取得ステップによって取得された動画ファイルに加工処理を施すことを特徴とする請求項１１〜１４のいずれか一項に記載の動画撮影制御方法。
【請求項１６】
前記動画取得ステップによる動画取得の終了を指示する指示ステップと、
前記指示ステップにて動画取得を終了、又は前記第１の検出ステップによる検出に応じて前記加工処理ステップを制御する制御ステップと、
を更に含むことを特徴とする請求項１１〜１５のいずれか一項に記載の動画撮影制御方法。
【請求項１７】
前記動画撮影装置は、第１の表示部と第２の表示部とを更に備え、
前記撮像部を連続的に駆動させることによるイメージデータを元に前記第２の表示部に表示させる第１の表示制御ステップと、
前記第１の検出ステップにて、前記第１のケースと前記第２のケースとの位置関係の変化を検出することにより、前記撮像部を連続的に駆動させることによるイメージデータを前記第１の表示部に表示させるよう制御する第２の表示制御ステップと、
を更に含むことを特徴とする請求項１１〜１６のいずれか一項に記載の動画撮影制御方法。
【請求項１８】
前記動画撮影装置は、第１のメモリと第２のメモリとを更に備え、
前記動画取得ステップによって取得された動画ファイルを前記第１のメモリに保持する第１の記憶ステップと、
前記加工処理ステップによって加工処理された動画ファイルを保持する第２の記憶ステップと、
を更に含むことを特徴とする請求項１１〜１７のいずれか一項に記載の動画撮影制御方法。
【請求項１９】
接続部を介して回動可能に接続された第１のケース及び第２のケースを有する動画撮影装置のコンピュータに、
撮像部を連続的に駆動させることにより動画ファイルを取得する動画取得ステップと、
前記接続部を介した前記第１のケースと前記第２のケースとの位置関係の変化を検出する第１の検出ステップと、
前記第１の検出ステップによる検出に基づいて、前記動画取得ステップによる動画ファイルの取得の開始若しくは終了を制御する取得制御ステップと、
を実行させるための動画撮影制御プログラム。
【請求項２０】
前記第１のケースと前記第２のケースとの位置関係の変化が始まってから終了するまでの時間を計測する計測ステップと、
前記計測ステップにて計測された時間に基づいて前記動画取得ステップにて取得された動画に加工処理を施す加工処理ステップと、
を更に実行させることを特徴とする請求項１９に記載の動画撮影制御プログラム。
【発明の詳細な説明】
【技術分野】
【０００１】
本発明は、二つの筐体を備える、例えばカメラ付き携帯電話装置等に代表される、動画撮影制御方法、及び、動画撮影制御プログラムに関する。
【背景技術】
【０００２】
近年、カメラ機能を備えた多機能な携帯電話装置においては、静止画撮影機能のみならず、動画撮影機能を備えるものがある。
また、近年では、動画ファイルの編集の手法として、動画ファイルの先頭フレームや最終フレームにおいて、各フレームにフェードイン／フェードアウトやワイプイン／ワイプアウトなどの演出効果を入れる手法が知られており、デジタルムービーカメラ等の動画撮影装置において撮影された動画を、映像編集機器や映像編集ソフトを用いてこれらの演出効果を付与することが行われている。
また、撮影装置に上記動画編集が可能なフェーダー機能を備えたものなどもある（例えば、特許文献１参照）。
【特許文献１】特開平１１−９８４１１号公報
【発明の開示】
【発明が解決しようとする課題】
【０００３】
しかしながら、カメラ機能を備えた多機能な携帯電話装置において、ユーザが動画撮影を行う場合、操作が煩わしいという問題があった。
また、動画撮影装置で撮影した動画ファイルを上記のような映像編集機器などに転送し、あらためて編集することは、一般的にユーザにとっては大いに手間のかかることであった。
また、動画撮影装置にフェーダー機能を備え、編集を行う場合、所定の釦操作等により行わなければならないために、ユーザにとって非常に煩わしく、操作の簡易性を損なうおそれがあった。
【０００４】
本発明は、このような点に鑑みてなされたものであり、簡易に動画の撮影開始又は終了、フェーダー機能を行うことができる動画撮影装置、動画撮影制御方法、及び、動画撮影制御プログラムを提供することである。
【課題を解決するための手段】
【０００５】
上記課題を解決するために、請求項１に記載の発明は、接続部を介して互いに回動可能に接続された第１のケース及び第２のケースと、撮像手段と、前記撮像手段を連続的に駆動させることにより動画ファイルを取得する動画取得手段と、前記接続部を介した前記第１のケースと前記第２のケースとの相対的な位置関係の変化を検出する第１の検出手段と、前記第１の検出手段による検出に基づいて、前記動画取得手段による動画ファイルの取得の開始若しくは終了を制御する取得制御手段と、を備えたことを特徴とする。
【０００６】
請求項２に記載の発明は、接続部を介して互いに回動可能に接続された第１のケース、第２のケース及び第３のケースと、撮像手段と、前記撮像手段を連続的に駆動させることにより動画ファイルを取得する動画取得手段と、前記接続部を介した前記第１のケースと前記第２のケースとの相対的な位置関係の変化を検出する第１の検出手段と、前記第１の検出手段による検出に基づいて、前記動画取得手段による動画ファイルの取得の開始若しくは終了を制御する取得制御手段と、を備えたことを特徴とする。
【０００７】
請求項３に記載の発明は、請求項２に記載の発明において、前記第３のケースはカメラユニットであり、当該カメラユニットには前記撮像手段が設けられていることを特徴とする。
【０００８】
請求項４に記載の発明は、請求項１〜３のいずれか一項に記載の発明において、前記第１のケースと前記第２のケースとの相対的な位置関係の変化の開始から終了までの時間を計測する計測手段と、前記計測手段によって計測された時間に基づいて、前記動画取得手段によって取得された動画ファイルに加工処理を施す加工処理手段と、を更に備えたことを特徴とする。
【０００９】
請求項５に記載の発明は、請求項４に記載の発明において、前記加工処理手段は、前記取得制御手段によって取得された動画ファイルの先頭フレームから所定フレームに対して加工処理を施すことを特徴とする。
【００１０】
請求項６に記載の発明は、請求項４に記載の発明において、前記加工処理手段は、前記取得制御手段によって取得された動画ファイルの所定フレームから先頭フレームに対して加工処理を施すことを特徴とする。
【００１１】
請求項７に記載の発明は、請求項４〜６のいずれか一項に記載の発明において、前記第１のケースと前記第２のケースとの相対的な位置関係の変化の開始から終了までの単位時間あたりの位置関係の度合いを検出する第２の検出手段を更に備え、前記加工処理手段は、前記第２の検出手段によって検出された度合いに基づいて、前記動画取得手段によって取得された動画ファイルに加工処理を施すことを特徴とする。
【００１２】
請求項８に記載の発明は、請求項４〜７のいずれか一項に記載の発明において、前記動画取得手段による動画取得の終了を指示する指示手段と、前記指示手段による動画取得を終了、又は前記第１の検出手段による検出によって動画取得を終了に応じて前記加工処理手段を制御する制御手段と、を更に備えることを特徴とする。
【００１３】
請求項９に記載の発明は、請求項１〜８のいずれか一項に記載の発明において、第１の表示手段と、
第２の表示手段と、
前記撮像手段を連続的に駆動させることによるイメージデータを元に前記第２の表示手段に表示させる第１の表示制御手段と、前記第１の検出手段によって、前記第１のケースと第２のケースとの相対的な位置関係の変化を検出することにより、前記撮像手段を連続的に駆動させることによるイメージデータを元に前記第１の表示手段に表示させるよう制御する第２の表示制御手段と、を更に備えたことを特徴とする。
【００１４】
請求項１０に記載の発明は、請求項１〜９のいずれか一項に記載の発明において、前記動画取得手段によって取得された動画ファイルを保持する第１の記憶手段と、前記加工処理手段によって加工処理された動画ファイルを保持する第２の記憶手段と、を更に備えることを特徴とする。
【００１５】
更に、接続部を介して回動可能に接続された第１のケース及び第２のケースを有する動画撮影装置に対して、上述した請求項１及び４〜１０に示した主要な機能を実現させるための動画撮影制御方法を提供する（請求項１１〜１８に記載の発明）。
【００１６】
更に、接続部を介して回動可能に接続された第１のケース及び第２のケースを有する動画撮影装置のコンピュータに対して、上述した請求項１、４に示した主要な機能を実現させるためのプログラムを提供する（請求項１９、２０に記載の発明）。
【発明の効果】
【００１７】
上記発明によれば、検出された第１のケースと第２のケースとの位置関係に応じて撮像された動画ファイルの取得の開始又は終了や加工処理を行う構成であるため、簡易に動画の撮影開始又は終了や、動画に対するフェーダー機能を実施することができる。
【００１８】
また、第１のケースと第２のケースとの位置関係における変化の開始から終了までの時間や、その変化の単位時間あたりの位置関係の度合いに応じた加工処理を行う構成であるため、より簡易にフェーダー機能の調節を行うことができる。
さらに、動画ファイルの先頭付近のフレームや終了付近のフレームに対してフェーダー機能による加工を行うことができる。
【００１９】
また、動画撮影装置が第３のケースやカメラユニットを備える構成においても、簡易に動画の撮影開始又は終了や、動画に対するフェーダー機能を実施することができる。
【発明を実施するための最良の形態】
【００２０】
［第１の実施の形態］
以下、本発明の実施の形態に係る携帯電話装置１について、図面を参照しながら説明する。ただし、発明の範囲は図示例に限定されない。
【００２１】
図１（ａ）は、折り畳み式カメラ付き携帯電話であり、完全に開いた状態である携帯電話装置１の正面外観を示す図である。図１（ａ）に示すように、携帯電話装置１は、第１のケース１８と第２のケース１９とがヒンジ１７により接合されており、ヒンジ１７を軸にして第１のケース１８と第２のケース１９が向かい合うように折り畳む構成となっている。
第１のケース１８には、ユーザに画像で情報を表示する液晶ディスプレイである表示部１２（メイン表示部１２０、サブ表示部１２１）、及び、音声を出力するスピーカ１３を備え、第２のケース１９には、ユーザからの操作指示を受け付け、ユーザの決定指示操作を検出するセンターキー１１０、サイドスイッチ１１１を含む操作部１１、及び音声を入力するマイク１４を備え、ヒンジ１７の内部には、完全に開いた状態を検知するスイッチ（図示しない）を備える。
【００２２】
図１（ｂ）は、完全に開いた状態である携帯電話装置１の背面外観を示す図である。図１（ｂ）に示すように、第１のケース１８には、折り畳んだ際にもユーザに画像で情報を表示する液晶ディスプレイであるサブ表示部１２０、被写体の静止画又は動画を撮影するカメラ１５を備え、第２のケース１９には、アンテナ１６を備える。
【００２３】
図１（ｃ）は、携帯電話装置１における、閉じている状態から開いている状態へ移行する途中の状態、又は逆に移行する途中の状態を示す図である。携帯電話装置１は、ヒンジ１７の内部にバネなどによる完全に開いた状態又は閉じた状態でロックする機構を備え（図示しない）、ユーザが第１のケース１８と第２のケース１９を保持して、所定の力を加えることによりロックを解除し、図１（ｃ）の状態を経て、開閉する。
【００２４】
図１（ｄ）は、完全に閉じた状態である携帯電話装置１の側面外観を示す図である。携帯電話装置１は、ヒンジ１７の内部に完全に閉じた状態を検知する開閉検出に関するスイッチを備え、例えば、閉じたことにより、所定の部位の電源を落とす。
【００２５】
次に、図２を参照して、携帯電話装置１の内部構成を説明する。図２に示すように、携帯電話装置１は、制御部２１、記憶部２２、電源部２３、通信部２４、開閉検出部２５、表示ドライバ２６、電源回路２７、操作部１１、スピーカ１３、マイク１４、加速度センサ３２及びカメラ１５を備え、互いに電気的に接続する。
【００２６】
制御部２１は、図示しないＣＰＵ（Central  Processing  Unit）、内部ＲＡＭ（Random  Access  Memory）、ＲＯＭ（Read  Only  Memory）等を備え、ＣＰＵにおいて、内部ＲＡＭの所定領域を作業領域としてＲＯＭに記憶されている各種制御プログラムに従い、上記各部に制御信号を送って携帯電話装置１の動作全般を統括制御する。
【００２７】
表示部１２は、表示ドライバ２６、メイン表示部１２０、及びサブ表示部１２１からなり、制御部２１から入力される画像信号を表示ドライバ２６で変換して画像出力信号としてメイン表示部１２０又はサブ表示部１２１へ出力し、画像を表示する。
【００２８】
スピーカ１３は、制御部２１から入力される音声出力データに基づいて音声を出力する。マイク１４は、音声を音声アナログ信号に変換して操作部１１へ出力する。
【００２９】
カメラ１５は、レンズ３１、撮像素子３０などによって構成し、制御部２１の指示により、レンズ３１から入光して撮像素子３０上に結像する画像を画像信号として制御部２１へ出力する。
【００３０】
記憶部２２は、揮発メモリであるＲＡＭ、磁気的・光学的記録媒体とその読み取り手段、不揮発性メモリなどであり（いずれも図示しない）、例えばＯＳ（Operating  System）や各種動作プログラムなど、携帯電話装置１のシステム又は動作に係るプログラムや、動画・音声などの各種データを格納する。
【００３１】
電源部２３は、電源回路２７とそれに接続するＡＣアダプタ２８、充電池２９などからなり、制御部２１からの電源コントロールの指示により、ＡＣアダプタ２８又は充電池２９から電源回路２７に供給される電源を所定の電圧などに変換の上、各部へ供給する。
【００３２】
通信部２４は、無線信号の送受信を行う無線部、前記無線信号の復号化又は無線信号への変換などを行う通信処理部などからなり（いずれも図示しない）、各種携帯電話や無線モデムの規格や通信方式による通信業者との無線通信により、他の端末との音声通話やデータ送受信などを行う。
【００３３】
開閉検出部２５は、ヒンジ１７の内部にあるスイッチにより、開いた状態又は閉じた状態を検出して、所定の信号を制御部２１へ出力する。前記スイッチは、たとえば角度を検出するスイッチでよく、検出された角度を所定の信号に変換して制御部２１へ出力する構成であってよい。
また、前記信号により、制御部２１では、開・閉の状態又は状態が移行した時間を算出する。
【００３４】
加速度センサ３２は、静電容量型または圧電型の加速度センサであり、第１のケース１８に対し第２のケース１９が開かれたことが開始されたことや、完全に開いた状態、または逆に、第１のケース１８に対し第２のケース１９が重ねられた（閉じられた）ことが開始されたことや、完全に重ねられた（閉じられた）状態の加速度を検出し、制御部２１へ出力する。
また、図中破線に囲まれているが、ＬＥＤ１５１は、暗所における動画撮影時に発光する発光するものであり、ドライバ１５３は制御部２１によりこのＬＥＤ１５１の駆動制御される回路である。このＬＥＤ１５１、ドライバ１５３は、第２の実施の形態、第４の実施の形態、及び、第５の実施の形態において実装される。集音マイク１５２は動画撮影時に被写体方向の音声情報を録音するためのものであり、第４の実施の形態において実装される。
【００３５】
次に、携帯電話装置１におけるフェードインする加工処理について、図３に示すフローチャートを参照して説明する。ここで説明する各処理は、携帯電話装置１の制御部２１が行うステップＳ１１〜ステップＳ１６からなる。
【００３６】
折り畳まれた状態である携帯電話装置１は、第１の検出ステップとしてのステップＳ１１により、開く動作を検知し、動画取得及び取得制御ステップとしてのステップＳ１２により、完全に開いた状態となることを検知して、ステップＳ１３にて撮影を開始する。
なお、ステップＳ１３における撮影の開始は、一時的に停止された動画の撮影を再開するものでもよい。
【００３７】
ここにおいて、ステップＳ１１とステップＳ１２は、たとえば、所定の加速度状態Ａを検出するステップＳ１１と、所定の加速度状態Ｂを検出するステップＳ１２であり、前記加速度状態Ａ及びＢを検出することにより、ステップＳ１３にて撮影を開始するような動作構成であってよい。
【００３８】
また、上記加速度状態を検出する場合は、複数の筐体から位置状態の遷移を検出することを要しないため、特に本発明の形態に示した携帯電話装置１の折り畳み式のレイアウトに限定されない。
【００３９】
ステップＳ１２においては、例えば、開く動作の開始から完全に開いた状態までの時間の検出、又はヒンジ１７の角度の変化履歴を検出して開く動作履歴として記録する構成であってよい。
【００４０】
そしてステップＳ１３の後、所定の指示によりステップＳ１４にて撮影が終了され、加工手段としてのステップＳ１５により、撮影された動画にフェードイン加工処理が施され、記録手段としてのステップＳ１６により上記動画が保存されて、終了する。
【００４１】
ステップＳ１５におけるフェードイン加工は、上記開く動作履歴に応じた、例えば、時間の長さに応じてフェードイン時間を長く調整したり、角度の大小に応じてフェードインにおける明暗の度合いを調整するなどの加工の度合いを調整する構成であってよい。
【００４２】
また、本実施の形態では、フェードイン加工としたが、ワイプイン加工、又は加工しない場合であってよく、特に限定するものではない。
【００４３】
次に、携帯電話装置１におけるフェードアウト加工処理について、図４に示すフローチャートを参照して説明する。ここで説明する各処理は、携帯電話装置１の制御部２１が行うステップＳ２１〜ステップＳ２６からなる。
【００４４】
携帯電話装置１は、ステップＳ２１にて開いている状態で所定の指示により動画の撮影を開始する。なお、ここにおけるステップＳ２１は、上記フェードイン加工処理で説明した撮影の開始によるものでもよい。
【００４５】
ステップＳ２１の後、ステップＳ２２にて閉じる動作が検知されることにより、ステップＳ２３にて撮影の録画が終了され、ステップＳ２４にて完全に閉じた状態が検知されて、ステップＳ２５にて撮影された動画のフェードアウト処理が行われる。
【００４６】
なお、ここにおけるステップＳ２２とステップＳ２４は、たとえば、所定の加速度状態Ａを検出するステップＳ２２と、所定の加速度状態Ｂを検出するステップＳ２４であり、前記加速度状態Ａを検出することにより、ステップＳ２３にて撮影を終了する動作構成であってよい。
【００４７】
また、ステップＳ２４においては、例えば、閉じる動作の開始から完全に閉じた状態までの時間の検出、又はヒンジ１７の角度の変化履歴を検出して閉じる動作履歴として記録する構成であってよい。
【００４８】
ステップＳ２５におけるフェードアウト加工は、上記閉じる動作履歴に応じた、例えば、時間の長さに応じてフェードアウト時間を長く調整したり、角度の大小に応じてフェードアウトにおける明暗の度合いを調整するなどの加工の度合いを調整する構成であってよい。
また、本実施の形態では、フェードアウト加工としたが、ワイプアウト加工、又は加工しない場合であってよく、特に限定するものではない。
【００４９】
ステップＳ２５の後、ステップＳ２６にて上記フェードアウト処理された動画が保存され、本処理が終了する。
【００５０】
以上説明したように、携帯電話装置１は、折り畳み状態から開くことにより、撮影を開始し、閉じることで、撮影を終了することができる。
また、携帯電話装置１は、加速度センサにより、筐体の加速度を検出することで、撮影の開始又は終了を行うことができる。
【００５１】
また、携帯電話装置１は、開閉動作に応じたフェードイン／フェードアウトなどの動画編集を行うことができる。
【００５２】
［第２の実施の形態］
次に、第２の実施の形態に係る携帯電話装置１００について説明する。携帯電話装置１と同様の構成については、同一符号を付して説明を省略する。
本発明を適用したスライド式携帯電話を示した図５、６において、携帯電話装置１００は、第２のケース１９、第１のケース１８０、第３のケース１８１、及びそれらを接続する第１のヒンジ１７０、第２のヒンジ１７１からなる。
【００５３】
第２のケース１９は、図５（ｂ）に示すように、一面（図示では上面）側にユーザからの操作指示を受け付ける操作部１１を備えている。図５（ａ）、及び図６（ａ）に示すように、第２のケース１９の操作部１１を有する面上の長手方向に沿って第１のケース１８０及び第３のケース１８１が重ねられる。
【００５４】
第１のケース１８０は、第２のケース１９の操作部１１から一端側を覆う大きさであり、図５（ａ）に示すように、第２のケース１９上に位置する状態で表面（図示では上面）にサブ表示部１２１を備える。
第３のケース１８１は、第２のケース１９の操作部１１から一端側を覆う大きさであり、図５（ａ）に示すように、第２のケース１９の上に重ねた状態で表面にカメラ１５を備える。この第３のケース１８１は、一端部で第２のケース１９の操作部１１と反対側端部に対し第１のヒンジ１７０により回動自在に結合されるとともに、他端部で第１のケース１８０の一端部に対し第２のヒンジ１７１により回動自在に結合されている。
【００５５】
そして、第２のケース１９と第１のケース１８０の両側部には、第３のケース１８１と反対側端部で互いをスライド自在に結合するためのスライドガイド溝４０とスライドガイドピン４１が備えられており、スライドガイドピン４１をスライドガイド溝４０に挿入してスライド自在に係合する。
【００５６】
そして、携帯電話装置１００は、図５（ａ）と図６（ａ）に示すような閉じた状態と、図５（ｂ）と図６（ｂ）に示すようにＲ１、Ｒ２方向に回動してスライド係合して開く状態の状態があり、第１のヒンジ１７０及び第２のヒンジ１７１の内部にある開閉検出部２５により各状態を検知する。
【００５７】
このように、第２の実施の形態の携帯電話装置１００によれば、回動・スライドさせることにより、動画撮影の開始・終了を検出できるので、動画撮影後に編集モードを起動させ、フェードイン・フェードアウト等の特殊加工処理をユーザが行わなくても、自動的に加工処理される。
【００５８】
［第３の実施の形態］
第３の実施の形態に係る携帯電話装置２００について説明する。携帯電話装置１と同様の構成については、同一符号を付して説明を省略する。
第３の実施の形態の携帯電話装置２００は、図７及び、図８に示すように、カメラ１５は第１のケース１８側の第１のヒンジ１７０で回動可能に設置され、その第１のヒンジ１７０から屈曲して延び、第２のケース１９に第２のヒンジ１７１に回動可能に設置されるカメラユニット１５０に備えられていてカメラ１５の隣には暗所での動画撮影時に発光するＬＥＤ（発光部材）１５１が備えられている。
そして、第１のケース１８には、カメラユニット１５０の上半分部分１５００を収納可能且つ通過可能とする切欠部１８００が形成されている。
【００５９】
従って、図７（ａ）及び図８（ａ）に示したように、第２のケース１９及び第１のケース１８を重ねた折り畳み状態において、カメラユニット１５０の上半分部分１５００とその先端面のカメラ１５及びＬＥＤ１５０が第１のケース１８の切欠部１８２内に収納状態となって、カメラ１５及びＬＥＤ１５０を保護できる。
そして、折り畳み状態から第１のケース１８をカメラユニット１５０と一緒に第２のヒンジ１７１でＲ３の方向に回動させて第２のケース１９に対し開き、図７（ｂ）及び図８（ｂ）に示したように、第２のケース１９の延長上に第１のケース１８及びカメラユニット１５０を位置させた状態にする。
【００６０】
次に、第１のケース１８を手前に引き寄せるようにカメラユニット１５０の第１のヒンジ１７０でＲ３の方向に回動させるとともに、カメラユニット１５０を第２のケース１９に対し第２のヒンジ１７１でＲ４の方向に回動させると、図７（ｃ）及び図８（ｃ）に示したように、第２のケース１９の延長上の手前側に第１のケース１８が位置した状態になると同時に、カメラユニット１５０の上半分部分１５００が手前側に向いた状態になる。
これにより、使用者の方にメイン表示部１２０、カメラ１５及びＬＥＤ１５１が向いた状態になり、開閉検出部２５が動画撮影モードを検出して、動画の撮影を開始する。
【００６１】
一方、第１のケース１８を第２のケース１９から離すようにしてカメラユニット１５０を第１のヒンジ１７０でＲ５方向に回動させ、図７（ｄ）及び図８（ｄ）に示したように、第２のケース１９に対し乗り越えるようにして操作部１１を有する面の裏面側に第１のケース１８及びカメラユニット１５０を位置させた状態にすることで、カメラユニット１５０の上半分部分１５００に設けたカメラ１５及びＬＥＤ１５１をサブ表示部１２１と同一方向に向ける。
これにより、開閉検出部２５が再度検出し、一度動画撮影を終了させてファイル化した後、今度は天地逆にして再度動画撮影を開始する。
【００６２】
このように、第３の実施の形態の携帯電話装置２００によれば、第１のヒンジ１７０、第２のヒンジ１７１を備えた二軸構造にすることにより、いずれかの方向にカメラ１５を向けても動画撮影の開始・終了を検出できるので、動画撮影後に編集モードを起動させ、フェードイン・フェードアウト等の特殊加工処理をユーザが行わなくても、自動的に加工処理を施すことができる。
【００６３】
［第４の実施の形態］
第４の実施の形態に係る携帯電話装置３００について説明する。携帯電話装置１と同様の構成については、同一符号を付して説明を省略する。
第４の実施の形態の携帯電話装置３００は、図９及び図１０に示すように、第２のケース１９の長手方向に沿って第１のケース１８が重ねられる。そして、第２のケース１９及び第１のケース１８は、その重ねられた状態の長手方向一端側において、カメラユニット１５０を介して互いに回動自在に組み付けられている。
【００６４】
第１のケース１８は、第２のケース１９を覆う大きさであり、第２のケース１９に重なる面側にメイン表示部１２０を備え、その裏面側に、図９（ｂ）に示すように、サブ表示部１２１を備えている。
カメラユニット１５０は、一端側において、図１０に示したように、第１のケース１８の端部に対し第１のヒンジ１７０によりＲ６の方向に回動自在に結合されるとともに、第２のケース１９の端部に対し第２のヒンジ１７１によりＲ６の方向に回動自在に結合されている。
このカメラユニット１５０には、図９（ｂ）に示すように、第１のヒンジ１７０、第２の１７１と反対側の先端面にカメラ１５を備えている。そして、カメラユニット１５０の上面には、動画撮影時に静止画撮影を指示するためのシャッターボタン１１００が備えられている。
【００６５】
以上のような外観により、本携帯電話装置３００の使用者は、図９（ａ）及び図１０（ａ）に示される第２のケース１９及び第１のケース１８を重ねた折り畳み状態から、第２のケース１９及び第１のケース１８をカメラユニット１５０に対し第１のヒンジ１７０、第２のヒンジ１７１で上方と下方にそれぞれ回動させて、図９（ｂ）及び図１０（ｂ）に示したように、第２のケース１９及び第１のケース１８を開くことで、開閉検出部２５がこれを検出し、動画撮影を開始させることができる。この動画撮影時の保持状態は図９（ｃ）に示したように、第２のケース１９及び第１のケース１８から前方に突出するカメラユニット１５０を片手の中指の上に置いて後側から親指をあてた状態となり、使用者はメイン表示部１２０をファインダー（モニター）として見ながら撮影する。
【００６６】
このように、第４の実施の形態の携帯電話装置３００によれば、フェードイン等の加工処理を撮影後に施さなくても、使用者にとって保持しやすい状態で動画撮影を開始させることができる。また、動画撮影中であってもシャッターボタン１１００の操作を検出することにより、その時点でキャプチャーされたフレーム画像を静止画として保存することもできる。
【００６７】
［第５の実施の形態］
第５の実施の形態に係る携帯電話装置４００について図１１、図１２を用いて説明する。携帯電話装置１と同様の構成については、同一符号を付して説明を省略する。
第５の実施の形態の携帯電話装置４００は、図１１（ｂ）に示すように、一面（図示では上面）側に操作部１１を備えている。図１１（ａ）及び図１２（ａ）に示すように、第２のケース１９の操作部１１を有する面上の長手方向に沿って第１のケース１８が重ねられる。
【００６８】
第１のケース１８は、第２のケース１９を覆う大きさであり、図１１（ａ）及び図１１（ｂ）に示すように、第２のケース１９上に位置する状態で表面（図示では上面）にメイン表示部１２０と操作部１１０１とを備えている。
カメラユニット１５０は、側面視ほぼ三角形をなしていて、図１２（ａ）に示すように、表面にカメラ１５及びＬＥＤ１５１、集音マイク１５２を並べて備えている。このカメラユニット１５０は、カメラ１５と反対側の端部において、図１２に示すように、第２のケース１９の長手方向一端部に対し第１のヒンジ１７０により回動自在に結合されている。
【００６９】
以上において、第２のケース１９及び第１のケース１８には、第２のケース１９に対し操作部１１を有する面に重なる第１のケース１８を長手方向に沿ってスライド自在に組み付けるガイド溝１１２が設けられている。ガイド溝１１２は、第１のケース１８を第２のケース１９の操作部１１の両側部に沿ってスライドさせるために設けられるものであり、このガイド溝１１２には係合する図略のスライドピンが設置される。
【００７０】
このような構成において、第５の実施の形態では、図１２（ｂ）に示すように第２のケース１９上に重ねられる第１のケース１８をＭ１の方向に平行にスライドさせることにより、第２のケース１９の端部に設けられたカメラユニット１５０がスライド動作する第１のケース１８に係合してＲ７の方向に回転して開閉検出部２５がこれを検出する。また、この検出により動画撮影の開始と、録音の開始を同時に行わせることができる。
【００７１】
このように、第５の実施の形態の携帯電話装置４００によれば、フェードイン等の加工処理を撮影後に施さなくても、使用者にとって保持しやすい状態で動画撮影を開始させることができる。また、集音マイク１５２を実装させることで、被写体側の音声を好適に録音することもできる。
【００７２】
［第６の実施の形態］
第６の実施の形態に係る携帯電話装置５００について図１３を用いて説明する。携帯電話装置１と同様の構成については、同一符号を付して説明を省略する。
第６の実施の形態の携帯電話装置５００は、図１３に示すように、第２のケース１９の操作部１１を有する面の長手方向に沿って第１のケース１８４が重ねられる。これら第２のケース１９及び第１のケース１８４は、その重ねられた状態の長手方向一端側において、回転部１１３及びヒンジ１７を介して互いに回動自在に組み付けられている。
【００７３】
第１のケース１８４は、第２のケース１９を覆う大きさであり、図１３（ｂ）、図１３（ｃ）に示すように、その一面側にメイン表示部１２０を備えている。
また、第２のケース１９の操作部１１を有する面の反対側面には、図１３（ａ）に示すように、カメラ１５及びＬＥＤ（発光部材）１５１が並べて備えられている。これらカメラ１５及びＬＥＤ１５１は、操作部１１の一側方に離れた裏側に位置している。さらに、第２のケース１９の一側面にはサイドスイッチ１１１が備えられている。このサイドスイッチ１１１は、カメラ１５及びＬＥＤ１５１に対し他側方に位置している。
【００７４】
回転部１１３は、第２のケース１９に対しカメラ１５の光軸と同一軸線上を中心として操作部１１の側方位置で回転自在に組み付けられている。この回転部１１３には、タッチセンサーとしての機能を有する操作部１１０を中心に備え、その回転軸と直角をなす線を中心とするヒンジ１７により第１のケース１８４が長手方向一端部で回動自在に結合されている。
以上により、第２のケース１９に対し第１のケース１８４が、回転部１１２を介してその回転の中心周りに操作部１１を有する面に沿った方向を含む３６０度方向に旋回自在になっている。さらに、回転部１１３に対し第１のケース１８４が、ヒンジ１７周りに１８０度方向に回動自在になっている。
【００７５】
このような構成において、第６の実施の形態では、図１３（ａ）及び図１３（ｂ）に示したように、第２のケース１９の操作部１１を有する面側に、第１のケース１８４のメイン表示部１２０を有する面と反対側面を重ねた折り畳み状態にすると、使用者にとって第２のケース１９のカメラ１５が向こう側を向いて第１のケース１８４のメイン表示部１２０が手前側に向いた状態となる。即ち、デジタルカメラとして片手で持つと同じような使用状態となって、メイン表示部１２０をファインダー（モニター）として見ながらカメラ１５による風景撮影や他人撮影の使用に適した状態になる。
そして、この状態から第２のケース１９をヒンジ１７周りに１８０度回動させてメイン表示部１２０をカメラ１５と同じ側に向けて、片手で持った使用者の方にメイン表示部１２０及びカメラ１５を向けることにより、自分撮影の使用に適した状態になる。また、テレビ電話としての使用にも適した状態になる。
そして、いずれの形態を取った場合でも開閉検出部２５がこれを検出する。この場合、例えば、図１３（ａ）の状態から一度図１３（ｂ）の状態に遷移させると、動画撮影を開始させ、図１３（ｂ）の状態から図１３（ｃ）の状態に遷移させることで、動画撮影を終了させると、直ちにメール送信等の動作を行うことができる。
【００７６】
［第７の実施の形態］
次に、図１４〜図１６を参照して、第７の実施の形態の携帯電話装置１、１００、２００、３００、４００、及び、５００における更に詳細な動作実施形態について説明する。なお第１の実施の形態と同じ機能を有する箇所は、同一符号を付し、説明は省略する。また、以下、携帯電話１に述べるが、上記第２の実施の形態以降の携帯電話装置１００、２００、３００、４００、及び、５００も同様の回路構成とする。
【００７７】
図１４は本実施の形態における携帯電話装置１の回路構成図である。同図において、携帯電話装置１は、音声処理部２１１、画像処理部２１２、通信処理部２１３を制御部２１、動作履歴記憶部２２１、一時保存メモリ２２２、動画ファイルメモリ２２３を備える記憶部２２、電源部２３、通信部２４、開閉検出部２５、表示ドライバ２６、電源回路２７、操作部１１、スピーカ１３、マイク１４、加速度センサ３２及びカメラ１５とからなる。
【００７８】
制御部２１には、不図示のＣＰＵ（Central  Processing  Unit）をコアとした、複数の処理チップを内蔵する。
【００７９】
音声処理部２１１は、集音マイク１５２、マイク１４からＡ／Ｄ変換されて出力された動画撮影時の音声や通話音声を例えばＡＡＣ方式のデータに圧縮符号化して、集音マイク１５２から取得した音声については後述する動画圧縮符号化の際に同時に音声ファイルとして保存させる他、マイク１４から取得した通話音声についてはＱＣＥＬＰ形式のデータに圧縮符号化して、通信処理部２１３に出力する。また、音声処理部２１１は通信処理部２１３の制御に基づいてアンテナ１６より受信されたＣＤＭＡ方式の無線信号から、通信部２４にて自機宛ての信号をフィルタリングし、その中で得られた圧縮符号化されたデータから音声信号へ復号化処理も行う。
【００８０】
画像処理部２１２は、動画撮影に際し、所定時間おき（例えば１５ＦＰＳ）に撮像素子３０にて結像されて読み出され、ＤＳＰ３０１にてサンプリングやデジタル化されたイメージデータについて、スルー画像表示の際は、ＲＧＢデータに変換して、表示ドライバ１２６に送出し、開閉検出部２５からの制御信号や、センターキー１１０の操作検出に基づいて動画撮影が開始されると、スルー画像を表示しつつ、ＤＳＰ３０１にてサンプリングやデジタル化されたイメージデータをＹＵＶ（４２２）の輝度色差信号に変換し、ＭＰＥＧ形式の動画ファイルをリアルタイムで生成する。
また、開閉検出部２５からの制御信号や、センターキー１１０の操作検出に基づいて動画撮影終了の検出すると、リアルタイムで生成された動画ファイルを一旦クローズ処理して一時保存メモリ２２２に保存させ、撮影終了後に取得される動作履歴記憶部２２１の記憶内容に基づいて、先頭フレームから所定フレーム、もしくは所定フレームから最終フレームを抽出して、フェードイン、フェードアウトの加工処理を行って、再圧縮符号化する処理も行う。
【００８１】
通信処理部２１３は、ユーザが加入した通信サービス会社から得られた識別コードにしたがって、ＣＤＭＡ方式の無線信号から自機宛ての信号を取得するように通信部２４を制御したり、無線通信の対象となるデータがパケットデータである場合には、その通信タイミングを制御する。
【００８２】
カメラ１５は、レンズ３１、撮像素子３０に加え、ＲＡＭを備えるＤＳＰ３０１を備える。  
【００８３】
記憶部２２は、ＯＳ（Operating  System）や各種動作プログラムなど、携帯電話装置１のシステム又は動作に係るプログラムや、動画・音声などの各種データを格納する他に、動作履歴記憶部２２１、一時保存メモリ２２２、及び、動画ファイルメモリ２２３を備える。
【００８４】
動作履歴記憶部２２１は、後述の動画撮影処理に際し、開閉検出部２５からの制御信号の入力検出から、加速度センサ３２の検知による開閉動作終了までの時間と、加速度センサ３２により入力された、開閉の速度やタイミングを記憶する。
【００８５】
一時保存メモリ２２２は、上記画像処理部２１２にてリアルタイムに圧縮符号化され、撮影終了が検出されることによりクローズされる動画ファイルを一時保存するためのものである。
【００８６】
次に、携帯電話装置１におけるフェードインする加工処理について、図１５に示すフローチャートを参照して説明する。ここで説明する各処理は、携帯電話装置１が行うステップＳ３１〜ステップＳ５６からなる。
【００８７】
折り畳まれた状態である携帯電話装置１は、まずその状態において、サイドスイッチ１１１の押下を検知して、動画撮影モードに移行する。まずステップＳ３１にて撮像素子３０にて結像されるイメージを所定間隔（例えば１５ＦＰＳ）毎に１フレーム読み出し、ステップＳ３２にて画像処理部２１２にてＲＧＢ形式に変換されステップＳ３３にて表示ドライバ送出、展開される。
【００８８】
この展開された画像は所定間隔で更新処理され、サブ表示部１２１にて表示されるが、これと同時にステップＳ３５のおいて、第１のケース１８がヒンジ１７を中心として第２のケース１９より開く動作があるか否かを、開閉検出部２５から制御信号が入力されるか否かで判断する。
【００８９】
開閉検出部２５から制御信号が入力されるまで、ステップＳ３１からステップＳ３４までの処理を繰り返すが、開閉検出部２５から制御信号が入力されると、計測ステップとしてのステップＳ３６にて、制御信号が入力されたタイミングから制御部２１にてカウントが開始され、その時点での加速度センサ３２からの情報を取得し、完全に第１のケース１８が第２のケース１９から開かれる（ヒンジ１７を回動軸として、例えば、１６０度以上回動する）までの時間、及び加速度の変化の動作履歴記憶部２２１へ記録を開始する。そして、ステップＳ３７において、完全に開かれた状態を検知するまで、上記の処理を継続する。
【００９０】
ステップＳ３７にて完全に開かれたと判断すると、ステップＳ３８において動作履歴記憶部２２１への記録を終了させ、サブ表示部１２１にて表示されていたイメージをメイン表示部１２０に表示させる（第２の表示制御ステップ）。次に、ステップＳ３９にて撮像素子３０にて結像されるイメージを所定間隔（例えば１５ＦＰＳ）毎に１フレーム読み出し、このフレームのイメージを画像処理部２１２にて表示出力用にＲＧＢ形式に変換すると同時に、ＹＵＶ形式に変換する。
【００９１】
ステップＳ３９にてＹＵＶ形式に変換されたフレームイメージは、順次出力されるその後のフレームイメージとともに、ステップＳ４０にてリアルタイムで圧縮符号化処理され、ＭＰＥＧ４形式に準拠した動画ファイルが作成される。作成された動画ファイルはステップＳ４１にて順次一時保存メモリ２２２に蓄積され、ステップＳ４２のセンターキー１１０の操作の検出、つまり撮影終了を検知するまで、ステップＳ４３による撮り込みの継続が行われる。
【００９２】
ステップＳ４１にてセンターキー１１０の操作を検出すると、撮影終了と判断し、撮像素子３０の処理を一旦停止させ、ステップＳ４４にてそれまで一時保存メモリ２２２に蓄積されていた動画ファイルのクローズ処理を行う。このクローズ処理とは、詳細には、ファイルヘッダを作成し動画ファイルに添付する処理や、プロファイルデータ（撮影日時、撮影時間（開始時間、終了時間）、撮影場所、ファイル容量、撮影者）を書き込む処理を示す。
【００９３】
クローズ処理が終了すると、ステップＳ４５にて、動作履歴記憶部２２１より、ヒンジ１７を介した第１のケース１８と第２のケース１９との回動開始から終了までの時間と、加速度の変移を読み出す。そして、ステップＳ４６にて一時保存メモリ２２２に保存された動画ファイルを展開し、ステップＳ４７にて上記の回動開始から終了までの時間と、加速度の変移とに基づいて、動画ファイルの先頭フレームから所定フレームにフェードイン加工処理する。
【００９４】
この加工処理とは、具体的には回動開始から回動終了までの時間が比較的短い場合と長い場合とで、加工処理を施すフレーム数に差を設ける処理を示し、長いケースの方が囲う処理を施すフレーム数が多くなるようにする。また加速度の変移については、単位時間あたりの速度変移が大きければ大きい程、加工の度合いを大きくするよう処理する。
【００９５】
加工処理が完了すると、この加工処理された動画ファイルについて、ステップＳ４８にて再生指示の検出の有無を判断する。再生指示を検出した場合、ステップＳ４９にて加工処理された動画ファイルを再生するが、再生指示が検出されなかった場合は、ステップＳ５０にてこの加工処理された動画ファイルの保存指示の有無を判断する。保存指示がされると、ステップＳ５１にて展開され加工処理された動画ファイルについて、圧縮符号化処理を施し、ステップＳ５２にて動画ファイルメモリ２２３に保存して、本処理を終了する。
【００９６】
一方、ステップＳ５０において保存が指示され無い場合、ステップＳ５３にて加工処理していないオリジナルの動画ファイルの保存指示の有無を判断する。保存指示がされると、ステップＳ５４にて加工処理された動画ファイルは破棄し、ステップＳ５５にてオリジナルの動画ファイルを動画ファイルメモリ２２３に保存して、本処理を終了する。また、ステップＳ５３にて保存が支持されなかった場合、一時保存メモリ２２２に記憶されているオリジナルの動画ファイルも破棄（クリア）する。またこのとき、加工処理された動画ファイルも破棄し、本処理を終了する。
【００９７】
次に、携帯電話装置１におけるフェードアウトする加工処理について、図１６に示すフローチャートを参照して説明する。ここで説明する各処理は、携帯電話装置１が行うステップＳ６１〜ステップＳ７３からなる。
【００９８】
本処理に関しては、動画撮影処理中、すなわち、図１５におけるステップＳ３９〜Ｓ４１の処理を行っている時を本処理のスタート時点ととらえ、その後、開閉検出部２５からの制御信号の入力、すなわち第１のケース１８に第２のケース１９を被せた（ヒンジ１７を回動軸に第１のケース１８と第２のケースとの角度を０度にした）ことを検出したか、センターキー１１０の操作を検出したかで撮影処理を終了させている。
【００９９】
まず、ステップＳ６１において、開閉検出部２５からの制御信号の入力の有無により、ユーザが携帯電話装置１を閉じる動作を行ったか否かを判断する。詳細には、上記したように、第１のケース１８に第２のケース１９を被せる動作を検出したか否かを開閉検出部２５からの制御信号の入力の有無により判断する。
検出した場合は、撮影終了と判断し、撮像素子３０の処理を一旦停止させ、それまで一時保存メモリ２２２に蓄積されていた動画ファイルのクローズ処理を行う。
【０１００】
このクローズ処理とは、詳細には、ファイルヘッダを作成し動画ファイルに添付する処理や、プロファイルデータ（撮影日時、撮影時間（開始時間、終了時間）、撮影場所、ファイル容量、撮影者）を書き込む処理を示す。
【０１０１】
そして、ステップＳ６３にて、ステップＳ６２で制御信号が入力されたタイミングから制御部２１にてカウントが開始され、その時点での加速度センサ３２からの情報を取得し、完全に第１のケース１８が第２のケース１９に被さる（ヒンジ１７を回動軸として、例えば、０度になる）までの時間、及び加速度の変化の動作履歴記憶部２２１へ記録を開始する。そして、ステップＳ６４において、完全に被さった状態を検知するまで、上記の処理を継続する。
【０１０２】
ステップＳ６４にて完全に被さったと判断すると、ステップＳ６５において動作履歴記憶部２２１への記録を終了させ、次にステップＳ６６にてこの動作履歴記憶部２２１より、ヒンジ１７を介した第１のケース１８と第２のケース１９との回動開始から終了までの時間と、加速度の変移を読み出す。
【０１０３】
そして、ステップＳ６７にて一時保存メモリ２２２に保存された動画ファイルを展開し、ステップＳ６８にて上記の回動開始から終了までの時間と、加速度の変移とに基づいて、動画ファイルの所定フレームから最終フレームにフェードアウト加工処理を施し、図１５のステップＳ４８の処理に移行する。
【０１０４】
この加工処理とは、具体的には回動開始から回動終了までの時間が比較的短い場合と長い場合とで、加工処理を施すフレーム数に差を設ける処理を示し、長いケースの方が囲う処理を施すフレーム数が多くなるようにする。また加速度の変移については、単位時間あたりの速度変移が大きければ大きい程、加工の度合いを大きくするよう処理する。
【０１０５】
一方、ステップＳ６１にて閉じる動作を検出せずに、センターキー１１０の操作を検出すると、撮影終了と判断し、ステップＳ７０にて撮像素子３０の処理を一旦停止させ、それまで一時保存メモリ２２２に蓄積されていた動画ファイルのクローズ処理を行う。開閉検出部２５からの制御信号の入力、及び、センターキー１１０の操作を検出しなかった場合は、撮影処理を継続する。
【０１０６】
ステップＳ７０にてクローズ処理され、一時保存メモリ２２２に蓄積された動画ファイルは、ステップＳ７１にて保存指示が検出されたか否か判断し、保存指示が検出されるとステップＳ７２にてこの動画ファイルを動画ファイルメモリ２２３に保存して、本処理を終了する。また、保存指示が検出されなかった場合は、ステップＳ７３にて一時保存メモリ２２２に記憶されている動画ファイルを破棄し、本処理を終了する。
【０１０７】
このように、第７の実施の形態においては、開閉検出部２５、及び、加速度センサ３２から出力される情報信号を撮影終了まで保存する動作履歴記憶部２２１を備える構成としている。したがって、第１のケース１８と第２のケース１９との回動に関する動作を記憶する構成としているので、複数の動画ファイルを加工する際にも、この動作履歴記憶部２２１の内容を参照して手軽に加工処理を施すことが可能になる。
【図面の簡単な説明】
【０１０８】
【図１】（ａ）は、本発明を適用した携帯電話装置１の開いた状態の正面外観を示す図であり、（ｂ）は、携帯電話装置１の背面外観を示す図であり、（ｃ）は、携帯電話装置１の側面斜視図であり、（ｄ）は、閉じた状態である携帯電話装置１の側面図である。
【図２】本発明における携帯電話装置１、１００、２００、３００、４００、５００の内部構成を示すブロック図である。
【図３】第１の実施の形態におけるフェードイン加工処理を説明するフローチャートである。
【図４】第１の実施の形態におけるフェードアウト加工処理を説明するフローチャートである。
【図５】（ａ）は、第２の実施の形態の携帯電話端末１００の閉じた状態を示した斜視図であり、（ｂ）は、スライドさせて開いた状態を示した斜視図である。
【図６】（ａ）は、第２の実施の形態の携帯電話装置１００の閉じた状態を示した側面図であり、（ｂ）は、スライドさせて開いた状態を示した側面図である。
【図７】（ａ）は、第３の実施の形態の携帯電話装置２００の閉じた状態を示した斜視図であり、（ｂ）は、開いた状態を示した斜視図であり、（ｃ）は、開いた状態において、カメラ１５を表示部１２０側に向けた状態の斜視図であり、（ｄ）は、カメラ１５を表示部１２１側に向けた状態の斜視図である。
【図８】（ａ）は、第３の実施の形態の携帯電話装置２００の閉じた状態を示した側面図であり、（ｂ）は、開いた状態を示した側面図であり、（ｃ）は、開いた状態において、カメラ１５を表示部１２０側に向けた状態の側面図であり、（ｄ）は、カメラ１５を表示部１２１側に向けた状態の側面図である。
【図９】（ａ）は、第４の実施の形態の携帯電話装置３００の閉じた状態を示した斜視図であり、（ｂ）は、開いた状態を示した斜視図であり、（ｃ）は、開いた状態において、使用者が保持した場合の側面図である。
【図１０】（ａ）は、第４の実施の形態の携帯電話装置３００の閉じた状態を示した側面図であり、（ｂ）は、開いた状態を示した側面図である。
【図１１】（ａ）は、第５の実施の形態の携帯電話装置４００の操作部１１を収納させた状態を示した斜視図であり、（ｂ）は、第１のケース１８をスライドさせた状態を示した斜視図である。
【図１２】（ａ）は、第５の実施の形態の携帯電話装置４００の操作部１１を収納させた状態を示した側面図であり、（ｂ）は、第１のケース１８をスライドさせている途中の状態を示した側面図であり、（ｃ）は、第１のケース１８をスライドさせた状態を示した側面図である。
【図１３】（ａ）は、第６の実施の形態の携帯電話装置５００の操作部１１を収納させた状態を示した斜視図であり、（ｂ）は、第１のケース１８４をヒンジ１７を回転軸に開き、回転部１１２で回転させて再び折り畳んだ状態を示した斜視図であり、（ｃ）は、図１３（ｂ）の状態より、第１のケース１８４を開き、回転軸１１２を介して回転させた状態を示した斜視図である。
【図１４】第７の実施の形態における携帯電話装置１、１００、２００、３００、４００、５００の内部構成を示すブロック図である。
【図１５】第７の実施の形態におけるフェードイン加工処理を説明するのフローチャートである。
【図１６】第７の実施の形態におけるフェードアウト加工処理を説明するフローチャートである。
【符号の説明】
【０１０９】
１、１００、２００、３００、４００、５００  携帯電話装置（動画撮影装置）
１１  操作部
１１００  シャッターボタン
１１０１  操作部
１１０  センターキー
１１１  サイドスイッチ
１１２  ガイド溝
１１３  回転部
１２  表示部
１２０  メイン表示部（第１の表示手段）
１２１  サブ表示部（第２の表示手段）
１２６  表示ドライバ
１３  スピーカ
１４  マイク
１５  カメラ（撮像手段）
１５０  カメラユニット
１５１  ＬＥＤ
１５２  集音マイク
１５３  ドライバ
１５００  上半分部分
１６  アンテナ
１７  ヒンジ
１７０  第１のヒンジ
１７１  第２のヒンジ
１８、１８０、１８４  第１のケース
１８１  第３のケース
１８２  切欠部
１９  第２のケース
２１  制御部（動画取得手段、取得制御手段、計測手段、加工処理手段、第２の検出手段、第１、２の表示制御手段）
２１１  音声処理部
２１２  画像処理部
２１３  通信処理部
２２  記憶部
２２１  動作履歴記憶部
２２２  一時保存メモリ（第１の記憶手段）
２２３  動画ファイルメモリ（第２の記憶手段）
２３  電源部
２４  通信部
２５  開閉検出部（第１の検出手段）
２６  表示ドライバ
２７  電源回路
２８  ＡＣアダプタ
２９  充電池
３０  撮像素子
３０１  ＤＳＰ
３１  レンズ
３２  加速度センサ
４０  スライドガイド溝
４１  スライドガイドピン
【図１】
2005323336.tif 000003
【図２】
2005323336.tif 000004
【図３】
2005323336.tif 000005
【図４】
2005323336.tif 000006
【図５】
2005323336.tif 000007
【図６】
2005323336.tif 000008
【図７】
2005323336.tif 000009
【図８】
2005323336.tif 000010
【図９】
2005323336.tif 000011
【図１０】
2005323336.tif 000012
【図１１】
2005323336.tif 000013
【図１２】
2005323336.tif 000014
【図１３】
2005323336.tif 000015
【図１４】
2005323336.tif 000016
【図１５】
2005323336.tif 000017
【図１６】
2005323336.tif 000018